(57)【要約】【課題】需要者に情報検索サービスを提供すると共に、需要者になされた情報検索要求を利用して供給者にマーケティング情報を提供できるようにする。【解決手段】ワイン情報検索システム１００において、情報要求受付部１１０は消費者からの情報要求を磁気ディスク装置９２０に記憶する。ワイン情報検索部１２０は情報要求されたワイン情報を磁気ディスク装置９２０から取得し、ワイン情報提供部１３０はワイン情報を消費者に応答する。そして、マーケティング情報生成部１４０は磁気ディスク装置９２０からこれまでに消費者からなされた情報要求を取得し、情報要求を消費者の属性別に集計して統計情報を生成する。マーケティング情報配信部１５０はマーケティング情報生成部１４０が生成した統計情報をワインのマーケティング情報としてワイン販売店に配信する。【選択図】図５
2008112295.tif 000002
【特許請求の範囲】
【請求項１】
検索サービス利用者が指定した検索情報を入力機器から入力して記憶機器に記憶する検索情報入力部と、
前記検索情報入力部が入力した検索情報に対応する詳細情報を詳細情報を記憶する記憶機器を検索して取得する詳細情報検索部と、
前記詳細情報検索部が取得した詳細情報を検索結果情報として出力機器に出力する検索結果情報出力部と、
前記検索情報入力部が記憶した検索情報に基づいて検索内容に関する統計情報をＣＰＵ（Ｃｅｎｔｒａｌ  Ｐｒｏｃｃｅｓｓｉｎｇ  Ｕｎｉｔ）を用いて生成する統計情報生成部と、
前記統計情報生成部が生成した検索内容に関する統計情報を出力機器に出力して統計サービス利用者に提供する統計情報出力部と
を備えたことを特徴とする統計情報提供装置。
【請求項２】
前記検索情報入力部は検索情報として検索サービス利用者により撮像された検索対象の画像を入力し、
前記詳細情報検索部は前記検索情報入力部が入力した検索対象の画像に基づいて検索対象についての詳細情報を検索して取得する
ことを特徴とする請求項１記載の統計情報提供装置。
【請求項３】
前記検索情報入力部は検索対象が撮像された場所を示す位置情報を含む検索情報を入力して記憶し、
前記統計情報生成部は前記検索情報入力部が記憶した位置情報を含む検索情報に基づいて検索対象と検索対象が撮像された場所との関係を示す統計情報を生成する
ことを特徴とする請求項２記載の統計情報提供装置。
【請求項４】
前記統計情報提供装置は、さらに、販売された商品を示す販売情報を入力機器から入力して記憶機器に記憶する販売情報入力部を備え、
前記統計情報生成部は前記検索情報入力部が記憶した検索情報と前記販売情報入力部が記憶した販売情報とに基づいて当該商品について検索された回数と販売された個数との関係を示す統計情報を生成する
ことを特徴とする請求項１〜請求項３いずれかに記載の統計情報提供装置。
【請求項５】
前記統計情報生成部は商品に関する前記検索情報に基づいて当該商品について検索された回数に関する統計情報を生成する
ことを特徴とする請求項１〜請求項３いずれかに記載の統計情報提供装置。
【請求項６】
前記統計情報提供装置は、さらに、販売された商品を示す販売情報を入力機器から入力して記憶機器に記憶する販売情報入力部を備え、
前記統計情報生成部は前記販売情報入力部が記憶した販売情報に基づいて当該商品について販売された個数に関する統計情報を生成する
ことを特徴とする請求項１〜請求項３いずれかに記載の統計情報提供装置。
【請求項７】
前記検索情報はワインを特定する情報である銘柄と産地と生産年と種類との少なくともいずれかであることを特徴とする請求項１〜請求項６いずれかに記載の統計情報提供装置。
【請求項８】
前記検索情報はワインを特定する情報である銘柄と産地と生産年と種類との少なくともいずれかであり、前記詳細情報はワイン評価情報であることを特徴とする請求項１〜請求項６いずれかに記載の統計情報提供装置。
【請求項９】
前記検索情報はワインを特定する情報である銘柄と産地と生産年と種類との少なくともいずれかであり、前記統計情報生成部はワインの検索された回数とワインの販売された本数との関係を示す統計情報を生成する
ことを特徴とする請求項４〜請求項６いずれかに記載の統計情報提供装置。
【請求項１０】
前記検索情報はワインを特定する情報である銘柄と産地と生産年と種類との少なくともいずれかであり、前記詳細情報はワイン評価情報であり、前記統計情報生成部はワインの検索された回数とワインの販売された本数との関係をワインの評価別に示す統計情報を生成する
ことを特徴とする請求項４〜請求項６いずれかに記載の統計情報提供装置。
【請求項１１】
前記検索対象の画像はワインのラベル画像であることを特徴とする請求項２または請求項３いずれかに記載の統計情報提供装置。
【請求項１２】
前記検索情報はワインを特定する情報である銘柄と産地と生産年と種類との少なくともいずれかであることを特徴とする請求項１１記載の統計情報提供装置。
【請求項１３】
前記統計情報生成部はワインの検索された回数に関する統計情報を生成する
ことを特徴とする請求項１１または請求項１２記載の統計情報提供装置。
【請求項１４】
前記統計情報提供装置は、さらに、販売されたワインの本数を入力機器から入力して記憶機器に記憶する販売情報入力部を備え、前記統計情報生成部はワインの販売された本数に関する統計情報を生成する
ことを特徴とする請求項１１または請求項１２記載の統計情報提供装置。
【請求項１５】
前記統計情報生成部はワインの検索された回数とワインの販売された本数との関係を示す統計情報を生成する
ことを特徴とする請求項１４記載の統計情報提供装置。
【請求項１６】
前記詳細情報はワイン評価情報であり、前記統計情報生成部はワインの評価別に示す統計情報を生成する
ことを特徴とする請求項１１〜請求項１５いずれかに記載の統計情報提供装置。
【請求項１７】
検索情報入力部が検索サービス利用者が指定した検索情報を入力機器から入力して記憶機器に記憶する検索情報入力処理と、
詳細情報検索部が前記検索情報入力部が入力した検索情報に対応する詳細情報を詳細情報を記憶する記憶機器を検索して取得する詳細情報検索処理と、
検索結果情報出力部が前記詳細情報検索部の取得した詳細情報を検索結果情報として出力機器に出力する検索結果情報出力処理と、
統計情報生成部が前記検索情報入力部の記憶した検索情報に基づいて検索内容に関する統計情報をＣＰＵ（Ｃｅｎｔｒａｌ  Ｐｒｏｃｃｅｓｓｉｎｇ  Ｕｎｉｔ）を用いて生成する統計情報生成処理と、
統計情報出力部が前記統計情報生成部の生成した検索内容に関する統計情報を出力機器に出力して統計サービス利用者に提供する統計情報出力処理と
をコンピュータに実行させることを特徴とする統計情報提供プログラム。
【請求項１８】
前記検索情報入力部は検索情報として検索サービス利用者により撮像された検索対象の画像を入力し、
前記詳細情報検索部は前記検索情報入力部が入力した検索対象の画像に基づいて検索対象についての詳細情報を検索して取得する
ことを特徴とする請求項１７記載の統計情報提供プログラム。
【請求項１９】
前記検索情報入力部は検索対象が撮像された場所を示す位置情報を含む検索情報を入力して記憶し、
前記統計情報生成部は前記検索情報入力部が記憶した位置情報を含む検索情報に基づいて検索対象と検索対象が撮像された場所との関係を示す統計情報を生成する
ことを特徴とする請求項１８記載の統計情報提供プログラム。
【請求項２０】
前記統計情報提供プログラムは、さらに、販売情報入力部が販売された商品を示す販売情報を入力機器から入力して記憶機器に記憶する販売情報入力処理をコンピュータに実行させ、
前記統計情報生成部は前記検索情報入力部が記憶した検索情報と前記販売情報入力部が記憶した販売情報とに基づいて当該商品について検索された回数と販売された個数との関係を示す統計情報を生成する
ことを特徴とする請求項１７〜請求項１９いずれかに記載の統計情報提供プログラム。
【請求項２１】
前記統計情報生成部は商品に関する前記検索情報に基づいて当該商品について検索された回数に関する統計情報を生成する
ことを特徴とする請求項１７〜請求項１９いずれかに記載の統計情報提供プログラム。
【請求項２２】
前記統計情報提供プログラムは、さらに、販売情報入力部が販売された商品を示す販売情報を入力機器から入力して記憶機器に記憶する販売情報入力処理をコンピュータに実行させ、
前記統計情報生成部は前記販売情報入力部が記憶した販売情報に基づいて当該商品について販売された個数に関する統計情報を生成する
ことを特徴とする請求項１７〜請求項１９いずれかに記載の統計情報提供プログラム。
【請求項２３】
前記検索情報はワインを特定する情報である銘柄と産地と生産年と種類との少なくともいずれかであることを特徴とする請求項１７〜請求項２２いずれかに記載の統計情報提供プログラム。
【請求項２４】
前記検索情報はワインを特定する情報である銘柄と産地と生産年と種類との少なくともいずれかであり、前記詳細情報はワイン評価情報であることを特徴とする請求項１７〜請求項２２いずれかに記載の統計情報提供プログラム。
【請求項２５】
前記検索情報はワインを特定する情報である銘柄と産地と生産年と種類との少なくともいずれかであり、前記統計情報生成部はワインの検索された回数とワインの販売された本数との関係を示す統計情報を生成する
ことを特徴とする請求項２０〜請求項２２いずれかに記載の統計情報提供プログラム。
【請求項２６】
前記検索情報はワインを特定する情報である銘柄と産地と生産年と種類との少なくともいずれかであり、前記詳細情報はワイン評価情報であり、前記統計情報生成部はワインの検索された回数とワインの販売された本数との関係をワインの評価別に示す統計情報を生成する
ことを特徴とする請求項２０〜請求項２２いずれかに記載の統計情報提供プログラム。
【請求項２７】
前記検索対象の画像はワインのラベル画像であることを特徴とする請求項１８または請求項１９いずれかに記載の統計情報提供プログラム。
【請求項２８】
前記検索情報はワインを特定する情報である銘柄と産地と生産年と種類との少なくともいずれかであることを特徴とする請求項２７記載の統計情報提供プログラム。
【請求項２９】
前記統計情報生成部はワインの検索された回数に関する統計情報を生成する
ことを特徴とする請求項２７または請求項２８記載の統計情報提供プログラム。
【請求項３０】
前記統計情報提供装置は、さらに、販売されたワインの本数を入力機器から入力して記憶機器に記憶する販売情報入力部を備え、前記統計情報生成部はワインの販売された本数に関する統計情報を生成する
ことを特徴とする請求項２７または請求項２８記載の統計情報提供プログラム。
【請求項３１】
前記統計情報生成部はワインの検索された回数とワインの販売された本数との関係を示す統計情報を生成する
ことを特徴とする請求項３０記載の統計情報提供プログラム。
【請求項３２】
前記詳細情報はワイン評価情報であり、前記統計情報生成部はワインの評価別に示す統計情報を生成する
ことを特徴とする請求項２７〜請求項３１いずれかに記載の統計情報提供プログラム。
【請求項３３】
検索情報入力部が検索サービス利用者が指定した検索情報を入力機器から入力して記憶機器に記憶する検索情報入力処理を行い、
詳細情報検索部が前記検索情報入力部が入力した検索情報に対応する詳細情報を詳細情報を記憶する記憶機器を検索して取得する詳細情報検索処理を行い、
検索結果情報出力部が前記詳細情報検索部の取得した詳細情報を検索結果情報として出力機器に出力する検索結果情報出力処理を行い、
統計情報生成部が前記検索情報入力部の記憶した検索情報に基づいて検索内容に関する統計情報をＣＰＵ（Ｃｅｎｔｒａｌ  Ｐｒｏｃｃｅｓｓｉｎｇ  Ｕｎｉｔ）を用いて生成する統計情報生成処理を行い、
統計情報出力部が前記統計情報生成部の生成した検索内容に関する統計情報を出力機器に出力して統計サービス利用者に提供する統計情報出力処理を行う
ことを特徴とする統計情報提供方法。
【発明の詳細な説明】
【技術分野】
【０００１】
本発明は、例えば、ワインラベル画像に基づくワイン情報検索サービスとワイン情報検索サービスになされたワイン情報要求を利用するマーケティング情報提供サービスとを提供する統計情報提供装置、統計情報提供プログラムおよび統計情報提供方法に関するものである。
【背景技術】
【０００２】
従来、通信ネットワークを利用した情報収集システムとして、サイトアクセス用バーコードを用いてなされたサイトアクセス数を計測するシステム（特許文献１）や、ユーザにポイントを提供する投票システム（特許文献２）や、Ｃｏｏｋｉｅを利用してユーザのアクセス情報を収集するシステム（特許文献３）がある。
【特許文献１】特開２００２−３１２２７０号公報
【特許文献２】特開２００１−２０９７０４号公報
【特許文献３】特開２００２−２４４７５号公報
【発明の開示】
【発明が解決しようとする課題】
【０００３】
本発明は、例えば、ある物に関して、需要者に情報検索サービスを提供すると共に、需要者によりなされた情報検索要求を利用して供給者にマーケティング情報を提供できるようにすることを目的とする。
また例えば、本発明は、需要者に画像に基づく情報検索サービスを提供すると共に、需要者によりなされた情報検索要求を利用して、画像が撮像された場所、つまり、需要者が情報要求した物品を手にした場所について統計を取ったマーケティング情報を当該物品の供給者に提供できるようにすることを目的とする。
【課題を解決するための手段】
【０００４】
本発明の統計情報提供装置は、検索サービス利用者が指定した検索情報を入力機器から入力して記憶機器に記憶する検索情報入力部と、前記検索情報入力部が入力した検索情報に対応する詳細情報を詳細情報を記憶する記憶機器を検索して取得する詳細情報検索部と、前記詳細情報検索部が取得した詳細情報を検索結果情報として出力機器に出力する検索結果情報出力部と、前記検索情報入力部が記憶した検索情報に基づいて検索内容に関する統計情報をＣＰＵ（Ｃｅｎｔｒａｌ  Ｐｒｏｃｃｅｓｓｉｎｇ  Ｕｎｉｔ）を用いて生成する統計情報生成部と、前記統計情報生成部が生成した検索内容に関する統計情報を出力機器に出力して統計サービス利用者に提供する統計情報出力部とを備えたことを特徴とする。
【０００５】
また、前記検索情報入力部は検索情報として検索サービス利用者により撮像された検索対象の画像を入力し、前記詳細情報検索部は前記検索情報入力部が入力した検索対象の画像に基づいて検索対象についての詳細情報を検索して取得することを特徴とする。
【０００６】
また、前記検索情報入力部は検索対象が撮像された場所を示す位置情報を含む検索情報を入力して記憶し、前記統計情報生成部は前記検索情報入力部が記憶した位置情報を含む検索情報に基づいて検索対象と検索対象が撮像された場所との関係を示す統計情報を生成することを特徴とする。
【０００７】
前記統計情報提供装置は、さらに、販売された商品を示す販売情報を入力機器から入力して記憶機器に記憶する販売情報入力部を備え、前記統計情報生成部は前記検索情報入力部が記憶した検索情報と前記販売情報入力部が記憶した販売情報とに基づいて当該商品について検索された回数と販売された個数との関係を示す統計情報を生成することを特徴とする。
【０００８】
本発明の統計情報提供プログラムは、検索情報入力部が検索サービス利用者が指定した検索情報を入力機器から入力して記憶機器に記憶する検索情報入力処理と、詳細情報検索部が前記検索情報入力部が入力した検索情報に対応する詳細情報を詳細情報を記憶する記憶機器を検索して取得する詳細情報検索処理と、検索結果情報出力部が前記詳細情報検索部の取得した詳細情報を検索結果情報として出力機器に出力する検索結果情報出力処理と、統計情報生成部が前記検索情報入力部の記憶した検索情報に基づいて検索内容に関する統計情報をＣＰＵ（Ｃｅｎｔｒａｌ  Ｐｒｏｃｃｅｓｓｉｎｇ  Ｕｎｉｔ）を用いて生成する統計情報生成処理と、統計情報出力部が前記統計情報生成部の生成した検索内容に関する統計情報を出力機器に出力して統計サービス利用者に提供する統計情報出力処理とをコンピュータに実行させることを特徴とする。
【０００９】
また、前記検索情報入力部は検索情報として検索サービス利用者により撮像された検索対象の画像を入力し、前記詳細情報検索部は前記検索情報入力部が入力した検索対象の画像に基づいて検索対象についての詳細情報を検索して取得することを特徴とする。
【００１０】
また、前記検索情報入力部は検索対象が撮像された場所を示す位置情報を含む検索情報を入力して記憶し、前記統計情報生成部は前記検索情報入力部が記憶した位置情報を含む検索情報に基づいて検索対象と検索対象が撮像された場所との関係を示す統計情報を生成することを特徴とする。
【００１１】
また、前記統計情報提供プログラムは、さらに、販売情報入力部が販売された商品を示す販売情報を入力機器から入力して記憶機器に記憶する販売情報入力処理をコンピュータに実行させ、前記統計情報生成部は前記検索情報入力部が記憶した検索情報と前記販売情報入力部が記憶した販売情報とに基づいて当該商品について検索された回数と販売された個数との関係を示す統計情報を生成することを特徴とする。
【００１２】
また、前記統計情報生成部は商品に関する前記検索情報に基づいて当該商品について検索された回数に関する統計情報を生成することを特徴とする。
【００１３】
また、前記統計情報提供装置は、さらに、販売された商品を示す販売情報を入力機器から入力して記憶機器に記憶する販売情報入力部を備え、前記統計情報生成部は前記販売情報入力部が記憶した販売情報に基づいて当該商品について販売された個数に関する統計情報を生成することを特徴とする。
【００１４】
本発明の統計情報提供方法は、検索情報入力部が検索サービス利用者が指定した検索情報を入力機器から入力して記憶機器に記憶する検索情報入力処理を行い、詳細情報検索部が前記検索情報入力部が入力した検索情報に対応する詳細情報を詳細情報を記憶する記憶機器を検索して取得する詳細情報検索処理を行い、検索結果情報出力部が前記詳細情報検索部の取得した詳細情報を検索結果情報として出力機器に出力する検索結果情報出力処理を行い、統計情報生成部が前記検索情報入力部の記憶した検索情報に基づいて検索内容に関する統計情報をＣＰＵ（Ｃｅｎｔｒａｌ  Ｐｒｏｃｃｅｓｓｉｎｇ  Ｕｎｉｔ）を用いて生成する統計情報生成処理を行い、統計情報出力部が前記統計情報生成部の生成した検索内容に関する統計情報を出力機器に出力して統計サービス利用者に提供する統計情報出力処理を行うことを特徴とする。
【００１５】
前記検索情報はワインを特定する情報である銘柄と産地と生産年と種類との少なくともいずれかであることを特徴とする。
【００１６】
前記検索情報はワインを特定する情報である銘柄と産地と生産年と種類との少なくともいずれかであり、前記詳細情報はワイン評価情報であることを特徴とする。
【００１７】
また、前記検索情報はワインを特定する情報である銘柄と産地と生産年と種類との少なくともいずれかであり、前記当該商品について検索された回数はワインの検索された回数であり、前記販売された個数はワインの販売された本数であることを特徴とする。
【００１８】
前記検索対象の画像はワインのラベル画像であることを特徴とする。
【００１９】
また、前記統計情報生成部はワインの検索された回数に関してワインの評価別に示す統計情報を生成することを特徴とする。
【００２０】
また、前記統計情報提供装置は、さらに、販売されたワインの本数を入力機器から入力して記憶機器に記憶する販売情報入力部を備え、前記統計情報生成部はワインの販売された本数に関する統計情報を生成することを特徴とする。
【００２１】
また、前記統計情報提供装置は、ワインの評価別に示す統計情報を生成することを特徴とする。
【００２２】
前記検索情報はワインを特定する情報である銘柄と産地と生産年と種類との少なくともいずれかであり、前記販売情報は販売されたワインの本数を示し、前記統計情報生成部はワインの検索された回数とワインの販売された本数との関係をワインの評価別に示す統計情報を生成することを特徴とする。
【発明の効果】
【００２３】
本発明によれば、例えば、検索情報入力部と詳細情報検索部と検索結果情報出力部とが需要者に情報検索サービスを提供すると共に、統計情報生成部と統計情報出力部とが需要者によりなされた情報検索要求を利用して供給者にマーケティング情報を提供できる。
また例えば、本発明によれば、検索情報入力部と詳細情報検索部と検索結果情報出力部とが需要者に画像に基づく情報検索サービスを提供すると共に、統計情報生成部と統計情報出力部とが需要者によりなされた情報検索要求を利用して、画像が撮像された場所、つまり、需要者が情報要求した物品を手にした場所について統計を取ったマーケティング情報を当該物品の供給者に提供できるようにすることを目的とする。
【発明を実施するための最良の形態】
【００２４】
実施の形態１．
検索サービス利用者により検索要求された内容に基づいてマーケティング情報（統計情報）を生成し、生成したマーケティング情報を統計サービス利用者に提供する情報検索システムについて以下に説明する。また、以下の説明において、情報検索システムが利用者の要求に応じて検索する検索対象であり、マーケティング情報を生成するマーケティング対象の具体例を「ワイン」とする。また、検索サービス利用者の具体例をワインの需要者である「ワイン消費者」とし、統計サービス利用者の具体例をワインの供給者である「ワイン販売店」とする。
【００２５】
図１は、実施の形態１におけるワイン情報検索システム１００の概要図である。
図２は、実施の形態１におけるワイン情報検索サービスおよびワインマーケティング情報提供サービスの流れを示すフローチャートである。
ワイン情報検索サービスを提供してワイン消費者のワインの選択を手助けすると共に、興味を持ったワインについてワイン情報検索サービスを利用したワイン消費者からのワイン情報要求に基づいてワインに関するマーケティング情報を生成するワインマーケティング情報提供サービスを提供するワイン情報検索システム１００について、図１、図２に基づいて以下に説明する。
【００２６】
ワインには銘柄や生産年や種類（赤、白、ロゼ）などの違いにより多くの品数があるため、ワイン消費者はいろいろと目移りしてしまいワインの選択に迷ってしまう。また、ワインの味や料理との相性や鑑定人の評価などを知ることができれば、それらのワイン情報を判断材料としてワインを選択することができるが、それらのワイン情報は銘柄や生産年や種類やラベルなどの外見からでは分からない。そこで、ワイン情報検索システム１００はワイン消費者にワイン情報検索サービスを提供する。また、ワイン消費者がワイン情報を取得したい対象のワインに日本語表記がされていないためワイン情報を要求する際にワインの銘柄や生産年や種類など当該ワインを特定する情報を指定することができない場合などに対応して、ワイン情報検索システム１００はワインラベルの画像に基づいて当該ワイン情報を提供するワイン情報検索サービスを提供する。ワイン情報検索システム１００は、ワインラベル画像に基づくワイン情報検索サービスを提供することにより、ワイン情報を要求する際にワイン消費者がワインの銘柄や生産年や種類などを入力する手間を省くことができる。
【００２７】
＜Ｓ１０１＞
そこでまず、ワイン消費者はカメラ付き携帯電話機（ユーザ端末３００の一例）を持ってワイン販売店を訪れ、陳列されたワインの中で興味を持ったワインのラベルを撮像する。
【００２８】
＜Ｓ１０２＞
そして、ワイン消費者は興味を持ったワインのラベル画像をユーザ端末３００から送信してワイン情報検索システム１００に当該ワインのワイン情報を要求する。
【００２９】
＜Ｓ１０３＞
ワイン情報検索システム１００はワインのラベル画像に対応付けてワイン情報を記憶している記憶機器を備え、ユーザ端末３００から受信したワインのラベル画像に対応するワイン情報を検索する。ワイン情報検索システム１００は、ワイン情報として、当該ワインを味わったことのあるワイン消費者の評価・コメントやワイン愛好家の当該ワインに関する自慢情報や当該ワインに関するうんちくなどの情報（以下、登録ユーザ向けコンテンツとする）を記憶機器に記憶し、ワイン消費者に提供してもよい。また、ワイン情報検索システム１００はワイングラス、コルク抜き、チーズなどのワイン関連商品を販売するワイン関連業者の広告情報を記憶機器に記憶し、ワイン消費者に提供するワイン情報に広告情報を付加してもよい。
【００３０】
＜Ｓ１０４＞
そして、ワイン情報検索システム１００は検索結果であるワイン情報をユーザ端末３００に送信してワイン消費者に当該ワインのワイン情報を提供する。
【００３１】
＜Ｓ１０５＞
また、ワイン情報検索システム１００は各ワイン消費者から受けたワイン情報要求の統計を取って、どのワインがワイン消費者に興味を持たれているかを示すワインのマーケティング情報を生成する。
【００３２】
＜Ｓ１０６＞
そして、ワイン情報検索システム１００は各ワイン販売店や各ワイン輸入業者に生成したマーケティング情報を提供する。例えば、ワイン情報検索システム１００は各ワイン販売店や各ワイン輸入業者のユーザ端末２００に送信してマーケティング情報を提供する。
【００３３】
上記のように、実施の形態１におけるワイン情報検索システム１００のワイン情報検索サービスを利用することにより、ワイン消費者はワイン販売店に陳列された数多くのワインの中から自分の好みにあったワインを選ぶことができる。
また、実施の形態１におけるワインマーケティング情報提供サービスを利用することにより、ワイン輸入業者、ワイン販売店はワイン消費者が高い興味を示し売上げ増が期待できるワインを把握することができる。
また、実施の形態１におけるワイン情報検索システム１００のワイン情報検索サービスおよびワインマーケティング情報提供サービスを運営する企業は、ワイン消費者に対するアンケート調査などを行わなくても、ワインマーケティング情報を得ることができる。
さらに、実施の形態１におけるワイン情報検索システム１００のワイン情報検索サービスおよびワインマーケティング情報提供サービスを運営する企業は、ワイン消費者、ワイン輸入業者、ワイン販売店、ワイン関連業者などのワイン情報検索システム１００を利用する登録ユーザから、ワイン情報提供料、マーケティング情報提供料、広告料などのシステム利用料を得ることができる。
【００３４】
ワイン情報検索システム１００はサーバ装置であり、ワイン消費者のユーザ端末３００、ワイン輸入業者やワイン販売店のユーザ端末２００、ワイン関連業者のユーザ端末４００、ワイン愛好家のユーザ端末５００はパーソナルコンピュータ、ＰＤＡ（Ｐｅｒｓｏｎａｌ  Ｄｉｇｉｔａｌ  Ａｓｓｉｓｔａｎｔｓ）（登録商標）、携帯電話機などである。
以下、ワイン消費者のユーザ端末３００をカメラ付き携帯電話機、ワイン販売店などのユーザ端末２００、ワイン関連業者のユーザ端末４００、ワイン愛好家のユーザ端末５００をパーソナルコンピュータとして、ワイン情報検索システム１００、ユーザ端末のハードウェアについて説明する。
【００３５】
図３は、実施の形態１におけるワイン情報検索システム１００、ワイン販売店などのユーザ端末２００、ワイン関連業者のユーザ端末４００、ワイン愛好家のユーザ端末５００のハードウェア資源の一例を示す図である。
図４は、実施の形態１におけるワイン消費者のユーザ端末３００のハードウェア資源の一例を示す図である。
【００３６】
図３において、ワイン情報検索システム１００、ワイン販売店などのユーザ端末２００、ワイン関連業者のユーザ端末４００、ワイン愛好家のユーザ端末５００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５、表示装置９０１、キーボード９０２、マウス９０３、ＦＤＤ９０４（Ｆｌｅｘｉｂｌｅ・Ｄｉｓｋ・Ｄｒｉｖｅ）、ＣＤＤ９０５（コンパクトディスク装置）、プリンタ装置９０６、スキャナ装置９０７、マイク９０８、スピーカー９０９、磁気ディスク装置９２０と接続され、これらのハードウェアデバイスを制御する。磁気ディスク装置９２０の代わりに、光ディスク装置、メモリカード読み書き装置などの記憶装置でもよい。
また、図４において、ワイン消費者のユーザ端末３００はＣＰＵ９１１、バス９１２を介してＣＰＵ９１１が接続するＲＯＭ９１３、ＲＡＭ９１４、通信ボード９１５、表示装置９０１、テンキー９５２、マイク９０８、スピーカー９０９、カメラ９５１、ＧＰＳ受信機９５３（ＧＰＳ：Ｇｌｏｂａｌ  Ｐｏｓｉｔｉｏｎｉｎｇ  Ｓｙｓｔｅｍ）等の位置情報取得装置を備えている。ワイン消費者のユーザ端末３００は、さらに、磁気ディスク装置９２０を備えてもよい。
【００３７】
ＲＡＭ９１４は揮発性メモリの一例である。磁気ディスク装置９２０、ＲＯＭ９１３、ＦＤＤ９０４やＣＤＤ９０５の記憶媒体は不揮発性メモリの一例である。これらは、記憶機器、記憶装置あるいは記憶部の一例である。
通信ボード９１５、キーボード９０２、スキャナ装置９０７、ＦＤＤ９０４などは、入力機器、入力装置あるいは入力部の一例である。また、入力データが記憶されている記憶装置は入力機器、入力装置あるいは入力部の一例である。
また、通信ボード９１５、表示装置９０１、プリンタ装置９０６などは、出力機器、出力装置あるいは出力部の一例である。また、出力データが記憶されている記憶装置は入力機器、入力装置あるいは入力部の一例である。
【００３８】
通信ボード９１５は、有線または無線で、インターネット、ＬＡＮ（Ｌｏｃａｌ  Ａｒｅａ  Ｎｅｔｗｏｒｋ）等の通信ネットワークに接続されている。
【００３９】
図３に示すワイン情報検索システム１００、ワイン販売店などのユーザ端末２００、ワイン関連業者のユーザ端末４００、ワイン愛好家のユーザ端末５００の磁気ディスク装置９２０には、ＯＳ９２１（オペレーティングシステム）、ウィンドウシステム９２２、プログラム群９２３、ファイル群９２４が記憶されている。
図４に示すワイン消費者のユーザ端末３００のＲＡＭ９１４にはＯＳ９２１、プログラム群９２３、ファイル群９２４が記憶されている。
【００４０】
プログラム群９２３には、実施の形態において「〜部」として説明する機能を実行するプログラムが記憶されている。プログラムはＣＰＵ９１１により読み出され実行される。
【００４１】
ファイル群９２４には、実施の形態において、「〜部」の機能を実行した際の「〜の判定結果」、「〜の計算結果」、「〜の処理結果」などの結果データ、「〜部」の機能を実行するプログラム間で受け渡しするデータ、その他の情報やデータや信号値や変数値やパラメータが、「〜ファイル」や「〜データベース」の各項目として記憶されている。ワイン情報要求（検索情報の一例）、ワイン情報（詳細情報の一例）、マーケティング情報（統計情報の一例）、登録ユーザ向けコンテンツ、広告情報などはファイル群９２４に含まれるものの一例である。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示のＣＰＵの動作の間、情報やデータや信号値や変数値やパラメータは、メインメモリやキャッシュメモリやバッファメモリに一時的に記憶される。
また、実施の形態において説明するフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｃ）等の記録媒体に記録される。また、データや信号値は、バス９１２や信号線やケーブルその他の伝送媒体によりオンライン伝送される。
【００４２】
また、実施の形態において「〜部」として説明するものは、「〜回路」、「〜装置」、「〜機器」、「〜手段」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、統計情報提供プログラムは、「〜部」としてコンピュータを機能させるものである。あるいは、「〜部」の手順や方法をコンピュータに実行させるものである。
【００４３】
図５は、実施の形態１におけるワイン情報検索システム１００の構成図である。
実施の形態１におけるワイン情報検索システム１００（サーバ装置、統計情報提供装置）の構成について、図５に基づいて以下に説明する。
ワイン情報検索システム１００（サーバ装置、統計情報提供装置）は情報要求受付部１１０、ワイン情報検索部１２０、ワイン銘柄特定部１２１、ワイン情報提供部１３０、マーケティング情報生成部１４０、ユーザ属性取得部１４１、撮像場所特定部１４２、販売実績取得部１４３、マーケティング情報配信部１５０、販売実績情報入力部１６０および磁気ディスク装置９２０を備える。
【００４４】
情報要求受付部１１０（検索情報入力部の一例）はワイン消費者のユーザ端末３００からワイン情報要求（検索情報の一例）を受信する。ワイン情報要求にはワイン消費者が情報を取得したいワインのラベル画像、ワインラベルが撮像された位置を示すＧＰＳ測位結果（位置情報の一例）、ワイン消費者を識別する登録ユーザ名（ユーザ識別情報の一例）が含まれる。
ワイン情報検索部１２０（詳細情報検索部の一例）はワイン情報要求に応じてワイン情報（詳細情報の一例）を検索する。
ワイン銘柄特定部１２１はラベル画像に基づいて当該ワインの銘柄を特定する。
ワイン情報提供部１３０（検索結果情報出力部の一例）はワイン消費者のユーザ端末３００にワイン情報応答としてワイン情報（詳細情報の一例）を送信する。
マーケティング情報生成部１４０（統計情報生成部の一例）はワイン情報要求に基づいてワイン消費者が高い興味を示しているワインについてのマーケティング情報（統計情報の一例）を生成する。例えば、マーケティング情報生成部１４０はワインラベルの撮像場所別、ワイン消費者の男女・年代別、情報要求回数に対する販売個数などのマーケティング情報を生成する。
ユーザ属性取得部１４１はワイン情報要求に含まれる登録ユーザ名に基づいてユーザ属性を取得する。
撮像場所特定部１４２はワイン情報要求に含まれるＧＰＳ測位結果に基づいてワインラベルの撮像場所を特定する。
販売実績取得部１４３は各ワイン販売店のワインの販売実績情報を取得する。
マーケティング情報配信部１５０（統計情報出力部の一例）はワイン販売店などのユーザ端末２００にマーケティング情報（統計情報の一例）を配信する。
販売実績情報入力部１６０は各ワイン販売店からワインの販売実績情報を取得する。
磁気ディスク装置９２０はワインの銘柄や産地や生産年や種類やラベル画像や味や料理との相性や鑑定人の評価などを示すワイン情報、性別や年齢などのユーザ属性、ワイン販売店の店名や所在地などを示す販売店情報、ワインの販売実績を示す販売実績情報、ＧＰＳ測位結果に対応する住所を示す地理情報が記憶される。また、磁気ディスク装置９２０はワイン消費者やワイン愛好家の各ワインに対する評価やコメントや自慢情報などのコンテンツ、ワイングラスやコルク抜きやチーズなどのワイン関連商品を販売するワイン関連業者の広告情報が記憶される。
【００４５】
図６は、実施の形態１におけるワイン情報検索システム１００のワイン情報提供方法を示すワイン情報提供処理のフローチャートである。
実施の形態１におけるワイン情報検索システム１００がワイン情報提供方法（統計情報提供方法の一部）として実行するワイン情報提供処理（統計情報提供処理の一部）の流れについて、図６に基づいて以下に説明する。
「〜部」で説明するワイン情報検索システム１００の各構成要素は以下に説明するワイン情報提供処理をＣＰＵ９１１を用いて実行する。また、以下に説明するワイン情報提供処理のフローチャートはワイン情報提供プログラム（統計情報提供プログラムの一部）として表され、ＣＰＵ９１１により実行される。
【００４６】
＜Ｓ２０１：検索情報入力処理の一例＞
まず、情報要求受付部１１０がワイン消費者のユーザ端末３００からワイン情報要求を受信する。
例えば、ワイン販売店を訪れたワイン消費者は陳列されたワインの中で興味を持ったワインのラベルをカメラ付き携帯電話機（ユーザ端末３００）で撮像すると共に、カメラ付き携帯電話機でＧＰＳ測位を行う。ワイン消費者は、カメラ付き携帯電話機を用いて、ワイン情報検索システム１００での登録ユーザ名を入力し、ラベル画像とＧＰＳ測位結果と登録ユーザ名とをワイン情報検索システム１００に送信してラベルを撮像したワインのワイン情報を要求する。
情報要求受付部１１０はカメラ付き携帯電話機（ユーザ端末３００）から送信されたワイン消費者のワイン情報要求を受信する。そして、情報要求受付部１１０は受信したワイン情報要求（ラベル画像、ＧＰＳ測位結果、登録ユーザ名）をマーケティング情報の生成のために磁気ディスク装置９２０に記憶する。また、情報要求受付部１１０はワイン情報要求に含まれるラベル画像をワイン情報の検索のためにワイン情報検索部１２０に出力する。
【００４７】
＜Ｓ２０２：詳細情報検索処理の一例＞
次に、ワイン情報検索部１２０がワイン情報を検索して取得する。
ワイン情報は磁気ディスク装置９２０に記憶されており、ワイン銘柄やラベル画像や産地や生産年や種類（赤、白、ロゼ）などの当該ワインを特定する情報、味や鑑定人の評価（例えば、評価点数等）など外見からは知得できない付加価値情報などが含まれている。
このとき、ワイン情報検索部１２０は磁気ディスク装置９２０からワイン情報を取得し、ワイン銘柄特定部１２１はワイン情報検索部１２０が取得したワイン情報に含まれるラベル画像と情報要求受付部１１０から入力したラベル画像との画像比較判定を行う。そして、ワイン情報検索部１２０はワイン銘柄特定部１２１が情報要求受付部１１０から入力したラベル画像に一致・対応すると判定したラベル画像を含むワイン情報をワイン消費者が要求したワイン情報としてワイン情報提供部１３０に出力する。
また、ワイン銘柄特定部１２１は情報要求受付部１１０から入力したラベル画像に一致・対応すると判定したラベル画像を含むワイン情報が示すワイン銘柄を磁気ディスク装置９２０に記憶されている当該ワイン情報要求に設定する。
【００４８】
＜Ｓ２０３：検索結果情報出力処理の一例＞
そして、ワイン情報提供部１３０がワイン消費者のユーザ端末３００にワイン情報応答を送信する。
ワイン情報提供部１３０がワイン情報検索部１２０の出力したワイン情報をワイン情報応答としてワイン消費者のユーザ端末３００に返信することにより、ワイン消費者はワイン販売店で興味を持ったワインの詳細な情報（特定情報、付加価値情報）を取得することができる。
このとき、ワイン情報提供部１３０はワイン消費者やワイン愛好家の各ワインに対する評価やコメントやうんちくなどのコンテンツ、ワイングラスやコルク抜きやチーズなどのワイン関連商品を販売するワイン関連業者の広告情報を磁気ディスク装置９２０から取得し、取得したコンテンツと広告情報とをワイン情報と共にワイン消費者のユーザ端末３００に送信してもよい。
【００４９】
図７は、実施の形態１におけるワイン情報検索システム１００のマーケティング情報提供方法を示すマーケティング情報提供処理のフローチャートである。
実施の形態１におけるワイン情報検索システム１００がマーケティング情報提供方法（統計情報提供方法の一例）として実行するマーケティング情報提供処理（統計情報提供処理の一例）について、図７に基づいて以下に説明する。
「〜部」で説明するワイン情報検索システム１００の各構成要素は以下に説明するマーケティング情報提供処理をＣＰＵ９１１を用いて実行する。また、以下に説明するマーケティング情報提供処理のフローチャートはマーケティング情報提供プログラム（統計情報提供プログラムの一例）として表され、ＣＰＵ９１１により実行される。
【００５０】
＜Ｓ３０１：統計対象入力処理の一例＞
まず、マーケティング情報生成部１４０が磁気ディスク装置９２０から過去のワイン情報要求を取得する。
定期的またはワイン販売店のユーザ端末２００から統計情報要求を受信した際、マーケティング情報生成部１４０は、これまでにワイン消費者からなされたワイン情報の要求内容を示し、ワイン消費者のユーザ端末３００から送信され、磁気ディスク装置９２０に記憶されているワイン情報要求を取得する。ワイン情報要求にはワイン情報の要求がなされたワインの銘柄、ワイン情報要求のためにワインラベルが撮像された場所を示すＧＰＳ測位結果、ワイン情報を要求したワイン消費者を識別する登録ユーザ名など含まれる。
【００５１】
＜Ｓ３０２：統計情報生成処理の一例＞
次に、マーケティング情報生成部１４０が過去のワイン情報要求に基づいてワインのマーケティング情報を生成する。
【００５２】
例えば、マーケティング情報生成部１４０は、ワイン消費者に興味を持たれワイン情報の要求がなされたワインについてのマーケティング情報として、ワイン情報を要求したワイン消費者の属性別の統計情報をワインの銘柄別に生成する。この場合、磁気ディスク装置９２０にはワイン情報検索システム１００に登録している各ワイン消費者の登録ユーザ名、住所（都道府県）、年齢（年代）、性別（男女）、趣味（嗜好）、職業、年収などをユーザ属性として記憶しておき、マーケティング情報生成部１４０はこのユーザ属性に基づいてマーケティング情報を生成する。まず、ユーザ属性取得部１４１は、各ワイン情報要求について、ワイン情報要求に含まれている登録ユーザ名を検索キーとして磁気ディスク装置９２０に記憶されているユーザ属性を検索し、登録ユーザ名がワイン情報要求と一致したユーザ属性を取得する。次に、マーケティング情報生成部１４０はワイン情報要求の数をワイン情報要求に含まれるワイン銘柄別に集計する。さらに、マーケティング情報生成部１４０はワイン銘柄別に集計したワイン情報要求の数をユーザ属性取得部１４１が取得したユーザ属性に基づいて年代別、男女別、年収別、嗜好別、職業別、都道府県別に集計する。そして、マーケティング情報生成部１４０は集計結果をマーケティング情報としてマーケティング情報配信部１５０に出力する。
【００５３】
また例えば、マーケティング情報生成部１４０は、マーケティング情報として、ワイン消費者がワイン情報を要求するためにワインラベルを撮像した場所別の統計情報をワインの銘柄別に生成する。この場合、磁気ディスク装置９２０にはＧＰＳの座標値と住所とを対応付けた地理情報やワイン情報検索システム１００に登録している各ワイン販売店の店名、店種（ワイン専門店、酒店、ディスカウントストア、百貨店、レストラン、居酒屋等）、所在地（都道府県）、地域種別（都市部、郊外、繁華街等）などを示す販売店情報を記憶しておき、マーケティング情報生成部１４０は地理情報や販売店情報に基づいてマーケティング情報を生成する。まず、撮像場所特定部１４２は、各ワイン情報要求について、ＧＰＳ測位結果を検索キーとして地理情報を検索し、ＧＰＳ測位結果に対応する住所を取得する。また、撮像場所特定部１４２は取得した住所を検索キーとして販売店情報を検索し、ＧＰＳ測位結果が示す住所を所在地とする販売店の店名を取得する。次に、マーケティング情報生成部１４０はワイン情報要求の数をワイン情報要求に含まれるワイン銘柄別に集計する。さらに、マーケティング情報生成部１４０はワイン銘柄別に集計したワイン情報要求の数を撮像場所特定部１４２が取得した住所に基づいて都道府県別に集計する。また、マーケティング情報生成部１４０はワイン銘柄別に集計したワイン情報要求の数を撮像場所特定部１４２が取得した店名に基づいてワイン販売店別に集計する。また、マーケティング情報生成部１４０はワイン銘柄別に集計したワイン情報要求の数を撮像場所特定部１４２が取得した販売店情報に基づいて店種別に集計する。また、マーケティング情報生成部１４０はワイン銘柄別に集計したワイン情報要求の数を撮像場所特定部１４２が取得した販売店情報に基づいて地域種別に集計する。そして、マーケティング情報生成部１４０は集計結果をマーケティング情報としてマーケティング情報配信部１５０に出力する。また、マーケティング情報生成部１４０は精度の高いＧＰＳ測位結果に基づいて各ワイン販売店内における通路別、陳列棚別の集計結果をマーケティング情報としてマーケティング情報配信部１５０に出力してもよい。この場合、販売店情報には店内の各通路や各陳列棚の識別情報や座標値が含まれ、撮像場所特定部１４２はＧＰＳ測位結果を検索キーとして販売店情報に含まれる通路や陳列棚の座標値を検索し、ＧＰＳ測位結果に対応する販売店の店名および通路や陳列棚の識別情報を取得し、マーケティング情報生成部１４０は撮像場所特定部１４２が取得した店名および通路や陳列棚の識別情報に基づいて各ワイン販売店内における通路別、陳列棚別に集計したマーケティング情報を生成する。ワイン消費者のユーザ端末３００は精度の高いＧＰＳ測位結果を、例えば、各地に配置され高い精度で所在地の座標値が既知である電子基準点を利用した高精度測位サービスを提供するシステムと通信を行って取得する。
【００５４】
また例えば、マーケティング情報生成部１４０は、マーケティング情報として、ワイン情報が要求された回数に対して実際に販売された個数に関する統計情報をワインの銘柄別に生成する。この場合、販売実績情報入力部１６０が各ワイン販売店からワインの販売実績を取得し、マーケティング情報生成部１４０はワイン情報要求とワイン販売実績とに基づいてマーケティング情報を生成する。まず、販売実績情報入力部１６０は各ワイン販売店からワインの販売実績を取得して販売実績情報として磁気ディスク装置９２０に記憶する。例えば、販売実績情報入力部１６０は店員により販売実績が入力された各ワイン販売店のユーザ端末２００や各ワイン販売店のＰＯＳ（Ｐｏｉｎｔ  Ｏｆ  Ｓａｌｅｓ）システムからワインの販売実績を受信し、受信したワインの販売実績を販売実績情報として磁気ディスク装置９２０に記憶する。マーケティング情報生成部１４０がマーケティング情報を生成する際に、販売実績取得部１４３は磁気ディスク装置９２０に記憶されている販売実績情報を取得する。そして、マーケティング情報生成部１４０はワイン情報要求と販売実績情報とに基づいてマーケティング情報を生成する。例えば、マーケティング情報生成部１４０はワイン情報要求の数に対する販売実績数の割合をワインの銘柄別に算出し、算出結果をマーケティング情報としてマーケティング情報配信部１５０に出力する。
【００５５】
また例えば、マーケティング情報生成部１４０は、ワインの銘柄別ではなく、ワイン情報に含まれる産地や生産年や種類や味や評価などのワインの特徴別にマーケティング情報を生成してもよい。この場合、マーケティング情報生成部１４０は、各ワイン情報要求について、ワイン情報要求に含まれているワイン銘柄を検索キーとして磁気ディスク装置９２０に記憶されているワイン情報を検索し、ワイン銘柄がワイン情報要求と一致したワイン情報を取得する。そして、マーケティング情報生成部１４０は取得した各ワイン情報に基づいてワインの特徴別にワイン情報要求の数を集計し、集計結果をマーケティング情報としてマーケティング情報配信部１５０に出力する。
【００５６】
また例えば、マーケティング情報生成部１４０は上記のワインの銘柄別、ワイン消費者の属性別、ワインラベルの撮像場所（ワイン情報の要求場所、ワインの陳列場所）別、ワインの特徴別の各組み合わせで、ワイン情報要求の数やワイン情報要求の数に対する販売実績数の割合を算出してマーケティング情報を生成してもよい。
【００５７】
また例えば、マーケティング情報生成部１４０は上記のワインの銘柄別、ワインの評価別（例えば、評価点数）の各組み合わせで、ワインの販売実績数を算出してマーケティング情報を生成してもよい。
【００５８】
また例えば、マーケティング情報生成部１４０は上記のワインの銘柄別、ワイン消費者の属性別、ワインの評価別（例えば、評価点数）の各組み合わせで、ワイン情報要求の数やワイン情報要求の数に対する販売実績数の割合を算出してマーケティング情報を生成してもよい。
【００５９】
また例えば、マーケティング情報生成部１４０は上記のワインの銘柄別、ワイン消費者の属性別、ワインラベルの撮像場所（ワイン情報の要求場所、ワインの陳列場所）別、ワインの評価別（例えば、評価点数）の各組み合わせで、ワイン情報要求の数やワイン情報要求の数に対する販売実績数の割合を算出してマーケティング情報を生成してもよい。
【００６０】
＜Ｓ３０３：統計情報出力処理＞
そして、マーケティング情報配信部１５０がマーケティング情報を各ワイン販売店のユーザ端末２００に送信する。
マーケティング情報配信部１５０がマーケティング情報生成部１４０の出力したマーケティング情報を各ワイン販売店のユーザ端末２００に配信またはマーケティング情報要求を送信したワイン販売店のユーザ端末２００に返信することにより、ワイン販売店はワイン消費者が高い興味を示しているワインに関する情報を取得し、ワイン消費者が高い興味を示し売上げ増が期待できるワインを入荷・陳列することができる。
例えば、ワイン販売店は、ワイン消費者の属性別に集計されたマーケティング情報に基づいて自店の客層に対応する属性を持つワイン消費者が高い興味を示しているワインを入荷することで、売上げ増が期待できる。
また例えば、ワイン販売店は、ワインラベルの撮像場所別に集計されたマーケティング情報に基づいて自店または自店の所在都道府県においてワイン消費者が高い興味を示しているワインを入荷することで、売上げ増が期待できる。
また例えば、ワイン販売店は、ワインラベルの撮像場所別に集計されたマーケティング情報に基づいてワイン情報要求数の多い自店の陳列棚に人気ワインや高額ワインを陳列することで、ワイン消費者が人気ワインや高額ワインを手に取る可能性が高まり売上げ増が期待できる。
また例えば、ワイン販売店は、ワインの特徴別に集計されたマーケティング情報に基づいてワイン消費者が高い興味を示している特徴（産地、生産年、種類など）を持つワインを入荷することで、売上げ増が期待できる。
【００６１】
上記実施の形態１において、マーケティング対象はワインでなくても何でもよい。また、マーケティング情報は画像を指定した情報要求に基づいて生成されなくてもよく、マーケティング情報はテキストや音声で指示された情報要求に基づいて生成されてもよい。
【００６２】
上記実施の形態１において、以下のように、画像に基づく情報検索サービスと情報検索サービスにアクセスしてきたユーザの情報を解析するマーケティング情報提供サービスとを提供する情報検索システムについて説明した。
情報検索システムは、ユーザが画像を指定して情報要求した対象について、予めシステムに登録してあるユーザの情報を組み合わせまたは分類した統計情報を販売店等へ配信する。
例えば、ワイン情報検索システム１００はカメラ付携帯電話等によって撮影されて送信されたワインラベルの画像に対応するワインの銘柄を検索し、該当するワインの銘柄と送信してきたユーザの情報とを組み合わせてマーケティング情報を作成し、作成したマーケティング情報を販売店などに配信する。
つまり、ワイン情報検索システム１００は情報要求されたワインについてシステムにアクセスし情報要求したユーザの情報で分類したマーケティング情報を作成し、作成したマーケティング情報を販売店などに配信する。
ワイン情報検索システム１００は、例えば、以下のような情報を示すマーケティング情報を生成してワイン販売店などの端末へ配信する。
・ワインの各銘柄についてのユーザ年代別のアクセス数
・ワインの各銘柄についてのユーザ男女別のアクセス数
・ワインの各銘柄についてのユーザ年収別のアクセス数
・ワインの各銘柄についてのユーザ職業別のアクセス数
・ワインの各銘柄についてのユーザ嗜好（趣味）別のアクセス数
・ワインラベル画像撮影／送信時のユーザ位置別のアクセス数（ユーザ位置はＧＰＳによる位置情報で特定され、マーケティング情報はどういう地域でどのワインが手に取られたかを表す）
・店毎の統計（マーケティング情報はその店に来た客はどういうワインを手に取ったかを表す）
このような情報検索システムには以下のような効果がある。
まず、システムは消費者に知られていない物について消費者のレビュー情報を入手することができない。このため、システムはその物についてのマーケティング情報を作成することができない。そこで、システムは何かを知りたいと思っている消費者に対して画像指定による情報検索サービスを提供する。そして、消費者からなされた情報要求を集計することにより、システムは集計した統計情報をマーケティング情報として販売店などに提供することができる。
【図面の簡単な説明】
【００６３】
【図１】実施の形態１におけるワイン情報検索システム１００の概要図。
【図２】実施の形態１におけるワイン情報検索サービスおよびワインマーケティングサービスの流れを示すフローチャート。
【図３】実施の形態１におけるワイン情報検索システム１００、ワイン販売店などのユーザ端末２００、ワイン関連業者のユーザ端末４００、ワイン愛好家のユーザ端末５００のハードウェア資源の一例を示す図。
【図４】実施の形態１におけるワイン消費者のユーザ端末３００のハードウェア資源の一例を示す図。
【図５】実施の形態１におけるワイン情報検索システム１００（サーバ装置）の構成図。
【図６】実施の形態１におけるワイン情報検索システム１００のワイン情報提供方法を示すワイン情報提供処理のフローチャート。
【図７】実施の形態１におけるワイン情報検索システム１００のマーケティング情報提供方法を示すマーケティング情報提供処理のフローチャート。
【符号の説明】
【００６４】
１００  ワイン情報検索システム、１１０  情報要求受付部、１２０  ワイン情報検索部、１２１  ワイン銘柄特定部、１３０  ワイン情報提供部、１４０  マーケティング情報生成部、１４１  ユーザ属性取得部、１４２  撮像場所特定部、１４３  販売実績取得部、１５０  マーケティング情報配信部、１６０  販売実績情報入力部、２００，３００，４００，５００  ユーザ端末、９０１  表示装置、９０２  キーボード、９０３  マウス、９０４  ＦＤＤ、９０５  ＣＤＤ、９０６  プリンタ装置、９０７  スキャナ装置、９０８  マイク、９０９  スピーカー、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９５１  カメラ、９５２  テンキー、９５３  ＧＰＳ受信機。
【図１】
2008112295.tif 000003
【図２】
2008112295.tif 000004
【図３】
2008112295.tif 000005
【図４】
2008112295.tif 000006
【図５】
2008112295.tif 000007
【図６】
2008112295.tif 000008
【図７】
2008112295.tif 000009